(57)【要約】【課題】画質を向上した表示パネルまたは表示装置を提供する。【解決手段】本発明の一態様に係る液晶パネル１は、対向電極層２０ｂを備え、入射した光を選択的に透過させて出射させる透過型の表示パネルであって、液晶パネル１の、波長４９０〜５００ｎｍの範囲における分光透過率の最大値をＴｂｇとし、液晶パネル１の波長５９０〜７５０ｎｍの範囲における分光透過率の平均値をＴｒとしたとき、（Ｔｂｇ−Ｔｒ）／Ｔｂｇの大きさが０．２８７以下である。【選択図】図１
2013186429.tif 000002
【特許請求の範囲】
【請求項１】
少なくとも１つの透明電極層を備え、入射した光を選択的に透過させて出射させる透過型の表示パネルであって、
白表示状態における上記表示パネルの、波長４９０ｎｍから５００ｎｍの範囲における分光透過率の最大値またはその近傍の値をＴｂｇとし、白表示状態における上記表示パネルの、波長５９０ｎｍから７５０ｎｍの範囲における分光透過率の平均値またはその近傍の値をＴｒとしたとき、
（Ｔｂｇ−Ｔｒ）／Ｔｂｇの大きさが０．２８７以下であることを特徴とする表示パネル。
【請求項２】
少なくとも１つの透明電極層を備え、入射した光を選択的に反射させて出射させる反射型の表示パネルであって、
白表示状態における上記表示パネルの、波長４９０ｎｍから５００ｎｍの範囲における分光反射率の最大値またはその近傍の値をＴｂｇとし、白表示状態における上記表示パネルの、波長５９０ｎｍから７５０ｎｍの範囲における分光反射率の平均値またはその近傍の値をＴｒとしたとき、
（Ｔｂｇ−Ｔｒ）／Ｔｂｇの大きさが０．２８７以下であることを特徴とする表示パネル。
【請求項３】
少なくとも１つの透明電極層を備える表示パネルであって、
上記透明電極層は、新ＩＵＰＡＣ方式の周期表における、第３族元素、第１３族元素、第４族元素、第１４族元素、および第１７族元素のうち１種類の元素または複数の種類の元素を添加した酸化亜鉛で形成された透明電極を含み、
上記透明電極の厚さが１６０ｎｍ以下であることを特徴とする表示パネル。
【請求項４】
少なくとも１つの透明電極層を備える表示パネルであって、
上記透明電極層は、ガリウムを添加した酸化亜鉛で形成された透明電極を含み、
上記透明電極の厚さが１６０ｎｍ以下であることを特徴とする表示パネル。
【請求項５】
上記表示パネルは、液晶層を含む液晶表示パネルであることを特徴とする請求項１から４のいずれか一項に記載の表示パネル。
【請求項６】
請求項１から５のいずれか一項に記載の上記表示パネルを備えることを特徴とする表示装置。
【発明の詳細な説明】
【技術分野】
【０００１】
本発明は、表示パネルおよび表示装置に関する。
【背景技術】
【０００２】
近年では、液晶ディスプレイおよび有機ＥＬディスプレイ等の表示装置において使用される透明電極として、酸化インジウムスズ（ＩＴＯ）が用いられている。しかしながら、表示装置の需要増大により、希少金属であるインジウムの枯渇が懸念されている。また、人体への影響から、インジウムおよびスズの取り扱いには注意を要する。そのため、透明電極としてのＩＴＯの代替材料として、酸化亜鉛（ＺｎＯ）が有望視されている。
【０００３】
中でも、ガリウム（Ｇａ）をドーパントとしてドープ（添加）した酸化亜鉛（ＧＺＯ）は、電気特性、光学特性、耐熱性、耐湿性、および、ウェットエッチングによる微細加工特性に優れている。
【０００４】
ＧＺＯは、可視光領域においてＩＴＯを上回る透過率を示す。そのため、ＧＺＯは、単にＩＴＯの代替になるというだけでなく、表示装置の高画質化および省エネルギー化についても貢献すると期待されている。
【０００５】
非特許文献１には、ＧＺＯによって透明電極を作製する方法が記載されている。
【先行技術文献】
【非特許文献】
【０００６】
【非特許文献１】Naoki Yamamoto et al., "Development of Ga-doped ZnO Transparent Electrodes as Alternatives for ITO Electrodes in Liquid Crystal Displays", SID Symposium Digest of Technical Papers, June 2011, Volume 42, Issue 1, pp. 1375-1378.
【発明の概要】
【発明が解決しようとする課題】
【０００７】
しかしながら、表示パネルまたは表示装置の利用者である人間の視感度に基づいて、表示装置の高画質化という観点において、どのような表示パネルを作製すればよいかを示す設計指針およびパラメータについては議論されていなかった。そのため、ＧＺＯの透過率に関する特性を画質に関する優位性として活かすための、表示パネルの具体的なパラメータについては議論されていない。
【０００８】
本発明は、上記の問題点に鑑みてなされたものであり、その目的は、画質を向上するための表示パネルまたは表示装置の設計指針を提供すること、および、画質を向上した表示パネルまたは表示装置を提供することにある。
【課題を解決するための手段】
【０００９】
本発明に係る表示パネルは、少なくとも１つの透明電極層を備え、入射した光を選択的に透過させて出射させる透過型の表示パネルであって、白表示状態における上記表示パネルの、波長４９０ｎｍから５００ｎｍの範囲における分光透過率の最大値をＴｂｇとし、白表示状態における上記表示パネルの、波長５９０ｎｍから７５０ｎｍの範囲における分光透過率の平均値をＴｒとしたとき、（Ｔｂｇ−Ｔｒ）／Ｔｂｇの大きさが０．２８７以下であることを特徴としている。
【００１０】
上記の構成によれば、表示パネルの（Ｔｂｇ−Ｔｒ）／Ｔｂｇの大きさが０．２８７以下であるので、白色光が入射した場合の出射光の分光スペクトルが均一になる。それゆえ、上記表示パネルは、色つきの少ない白表示を行うことができる。よって、上記表示パネルは、画像を適切な色合いで表示することができる。
【００１１】
本発明に係る表示パネルは、少なくとも１つの透明電極層を備え、入射した光を選択的に反射させて出射させる反射型の表示パネルであって、白表示状態における上記表示パネルの、波長４９０ｎｍから５００ｎｍの範囲における分光反射率の最大値をＴｂｇとし、白表示状態における上記表示パネルの、波長５９０ｎｍから７５０ｎｍの範囲における分光反射率の平均値をＴｒとしたとき、（Ｔｂｇ−Ｔｒ）／Ｔｂｇの大きさが０．２８７以下であることを特徴としている。
【００１２】
上記の構成によれば、表示パネルの（Ｔｂｇ−Ｔｒ）／Ｔｂｇの大きさが０．２８７以下であるので、白色光が入射した場合の出射光の分光スペクトルが均一になる。それゆえ、上記表示パネルは、色つきの少ない白表示を行うことができる。よって、上記表示パネルは、画像を適切な色合いで表示することができる。
【００１３】
本発明に係る表示パネルは、少なくとも１つの透明電極層を備える表示パネルであって、上記透明電極層は、新ＩＵＰＡＣ方式の周期表における、第３族元素、第１３族元素、第４族元素、第１４族元素、および第１７族元素のうち１種類の元素または複数の種類の元素を添加した酸化亜鉛で形成された透明電極を含み、上記透明電極の厚さが１６０ｎｍ以下であることを特徴としている。
【００１４】
上記の構成によれば、白色光が入射した場合の出射光の分光スペクトルがより均一になる。それゆえ、上記表示パネルは、色つきの少ない白表示を行うことができる。よって、上記表示パネルは、画像を適切な色合いで表示することができる。
【００１５】
本発明に係る表示パネルは、少なくとも１つの透明電極層を備える表示パネルであって、上記透明電極層は、ガリウムを添加した酸化亜鉛で形成された透明電極を含み、上記透明電極の厚さが１６０ｎｍ以下であることを特徴としている。
【００１６】
上記の構成によれば、白色光が入射した場合の出射光の分光スペクトルがより均一になる。それゆえ、上記表示パネルは、色つきの少ない白表示を行うことができる。よって、上記表示パネルは、画像を適切な色合いで表示することができる。
【００１７】
また、上記表示パネルは、液晶層を含む液晶表示パネルとすることもできる。
【００１８】
また、本発明に係る表示装置は、上記表示パネルを備えることを特徴としている。
【発明の効果】
【００１９】
本発明に係る表示パネルは、以上のように、少なくとも１つの透明電極層を備え、入射した光を選択的に透過させて出射させる透過型の表示パネルであって、白表示状態における上記表示パネルの、波長４９０ｎｍから５００ｎｍの範囲における分光透過率の最大値をＴｂｇとし、白表示状態における上記表示パネルの、波長５９０ｎｍから７５０ｎｍの範囲における分光透過率の平均値をＴｒとしたとき、（Ｔｂｇ−Ｔｒ）／Ｔｂｇの大きさが０．２８７以下であることを特徴としている。
【００２０】
また、本発明に係る表示パネルは、少なくとも１つの透明電極層を備え、入射した光を選択的に反射させて出射させる反射型の表示パネルであって、白表示状態における上記表示パネルの、波長４９０ｎｍから５００ｎｍの範囲における分光反射率の最大値をＴｂｇとし、白表示状態における上記表示パネルの、波長５９０ｎｍから７５０ｎｍの範囲における分光反射率の平均値をＴｒとしたとき、（Ｔｂｇ−Ｔｒ）／Ｔｂｇの大きさが０．２８７以下であることを特徴としている。
【００２１】
また、本発明に係る表示パネルは、少なくとも１つの透明電極層を備える表示パネルであって、上記透明電極層は、新ＩＵＰＡＣ方式の周期表における、第３族元素、第１３族元素、第４族元素、第１４族元素、および第１７族元素のうち１種類の元素または複数の種類の元素を添加した酸化亜鉛で形成された透明電極を含み、上記透明電極の厚さが１６０ｎｍ以下であることを特徴としている。
【００２２】
また、本発明に係る表示パネルは、少なくとも１つの透明電極層を備える表示パネルであって、上記透明電極層は、ガリウムを添加した酸化亜鉛で形成された透明電極を含み、上記透明電極の厚さが１６０ｎｍ以下であることを特徴としている。
【００２３】
それゆえ、上記表示パネルは、色つきの少ない白表示を行うことが可能となる。よって、上記表示パネルは、画像を適切な色合いで表示することが可能となる。
【図面の簡単な説明】
【００２４】
【図１】本発明の一実施形態に係る液晶パネルの概略構成を示す断面図である。
【図２】本発明の一実施形態に係る液晶表示装置の概略構成を示す図である。
【図３】上記液晶パネルの分光透過率の測定値から算出した、分光透過率の比Ｔｒ／ＴｂｇおよびパラメータＳを示す図である。
【図４】本発明の他の実施形態に係る液晶表示装置の概略構成を示す図である。
【図５】本発明の他の実施形態に係る液晶パネルの概略構成を示す断面図である。
【発明を実施するための形態】
【００２５】
［設計指針］
従来では、表示装置の画質について、人間の視感度が高い青緑色（波長４９０ｎｍ〜５００ｎｍ付近）の範囲を中心とした波長領域の輝度の高さを重視していた。そのため、従来では、表示装置に含まれる表示パネルの透過率に対して、人間の視感度が高い青緑色（波長４９０ｎｍ〜５００ｎｍ付近）の範囲を中心とした波長領域の透過率を重視していた。
【００２６】
しかしながら、適切な色合いで画像を表示するためには、人間の視感度が高い青緑色（波長４９０ｎｍ〜５００ｎｍ）の範囲を中心とした波長領域の輝度の高さだけではなく、相対的に人間の視感度が低い橙色から赤色（波長５９０〜７５０ｎｍ）の範囲の輝度の高さも重要である。白表示時の両者（青緑色および橙色から赤色）の輝度の差が小さいほど、色合いがよい画質であると言える。よって、表示装置に含まれる表示パネルの透過率の差が小さいほど、よい画質で画像を表示することが可能となるといえる。なお、ここで言う表示パネルは、液晶表示装置の場合は、バックライトからの光を透過する液晶表示パネルである。液晶表示パネルは、液晶、透明電極、カラーフィルタ、および偏光板等を含む。
【００２７】
そこで、表示パネルの設計指針を与えるパラメータとして、下記式のパラメータＳを用いる。
【００２８】
Ｓ＝（Ｔｂｇ−Ｔｒ）／Ｔｂｇ
＝１−（Ｔｒ／Ｔｂｇ）
ここで、Ｔｂｇは、波長４９０以上５００ｎｍ以下（青緑色）の範囲の分光透過率の最大値であり、Ｔｒは、波長５９０以上７５０ｎｍ以下（橙色〜赤色）の範囲の分光透過率の平均値である。なお、Ｔｂｇを、波長４９０以上５００ｎｍ以下（青緑色）の範囲の分光透過率の最大値の近傍の値としてもよい。また、Ｔｒを、波長５９０以上７５０ｎｍ以下（橙色〜赤色）の範囲の分光透過率の平均値の近傍の値としてもよい。パラメータＳは、ＴｂｇとＴｒとの比で表される量であり、青緑色付近の分光透過率と赤色付近の分光透過率との均一度合いを表す量である。ＴｂｇおよびＴｒが同じ大きさである場合はＳ＝０となる。よって、分光透過率の比Ｔｒ／Ｔｂｇは１に近いほど好ましく、パラメータＳは、その絶対値が小さいほど好ましい。よって、パラメータＳが所定の大きさより小さくなるように表示パネルを構成することが、設計する際の１つの指針となる。
【００２９】
なお、反射型の表示パネルの場合は、分光透過率の代わりに分光反射率を用いることができる。分光透過率および分光反射率は、各波長について表示パネルに入射した光に対する出射した光の割合を表すので、分光出射率ということもできる。
【００３０】
なお、一般的に波長５９０ｎｍ〜６２０ｎｍの範囲の光が橙色であり、６２０ｎｍ〜７５０ｎｍの範囲の光が赤色である。
【００３１】
［実施形態１］
以下、本発明の実施形態について、図面を参照して詳細に説明する。
【００３２】
図２は、本実施形態の液晶表示装置３の概略構成を示す図である。液晶表示装置（表示装置）３は、液晶パネル（表示パネル）１およびバックライト（光源）２を備える。液晶パネル（表示パネル）１は、背面に配置されるバックライト２からの光を選択的に透過することで、利用者に対して画像を表示する透過型の表示パネルである。
【００３３】
＜液晶パネルの構成＞
図１は、本実施形態の液晶パネル１の概略構成を示す断面図である。液晶パネル１は、利用者側である前面から順に、前面偏光板１０、カラーフィルタ基板２０、液晶層３０、アレイ基板４０、および背面偏光板５０が積層されたアクティブマトリクス方式の表示パネルである。
【００３４】
カラーフィルタ基板２０は、配向膜２０ａ、対向電極層（透明電極層）２０ｂ、ガラス基板２０ｃ、およびカラーフィルタ層２０ｄを備える。カラーフィルタ層２０ｄは、ガラス基板２０ｃの背面に設けられ、対向電極層２０ｂは、カラーフィルタ層２０ｄの背面に設けられ、配向膜２０ａは、対向電極層２０ｂの背面に設けられる。カラーフィルタ２０ｄは、画素毎に色の異なる複数のカラーフィルタ（ＲＧＢ）を含むが、図１では省略している。
【００３５】
対向電極層２０ｂは、ＧＺＯ（Ｇａドープ酸化亜鉛）で構成される透明電極の層である。対向電極層２０ｂの透明電極の厚さ（膜厚）は１６０ｎｍである。ＧＺＯの透明電極は、非特許文献１に記載の方法で形成することができる。
【００３６】
液晶層３０は、ＶＡ（垂直配向）型の液晶からなる層である。
【００３７】
アレイ基板４０は、配向膜４０ａ、画素電極層（透明電極層）４０ｂ、およびガラス基板４０ｃを備える。画素電極層４０ｂは、ガラス基板４０ｃの前面に設けられ、配向膜４０ａは、画素電極層４０ｂの前面に設けられる。
【００３８】
画素電極層４０ｂは、ＩＴＯ（酸化インジウムスズ）で構成される透明電極の層である。画素電極層４０ｂの透明電極の厚さは１６０ｎｍである。なお、画素電極層４０ｂの透明電極は、画素毎に分かれているが、図１では省略している。
【００３９】
＜評価＞
本実施形態の液晶パネル１の分光透過率ＴｂｇおよびＴｒを測定し、上記パラメータＳの評価を行った。分光透過率の測定は、図１に示すように、光源によって背面偏光板５０側から光を入射し、液晶パネル１を通過して前面偏光板１０側から正面方向に出射した光の分光輝度（波長毎の輝度）を測定し、液晶パネル１を除いた場合の分光輝度と比較することにより行った。なお、分光透過率の測定は、液晶パネル１が白表示の状態、すなわち、液晶パネル１が光を透過するように液晶パネル１を駆動して液晶層３０に所定の電圧を印加した状態で行った。なお、ＲＧＢのそれぞれの画素の印加電圧は、同じである。なお、分光透過率は画面全体の分光輝度の平均値を用いて求めている。
【００４０】
図３は、液晶パネル１の分光透過率の測定値から算出した、分光透過率の比Ｔｒ／ＴｂｇおよびパラメータＳを示す図である。図３には、実施例として本実施形態の液晶パネル１（偏光板有り）の測定値を示し、比較例として対向電極にＩＴＯを用いた構成の液晶パネル（偏光板有り）の測定値を示している。比較例の液晶パネルは、対向電極の材質がＩＴＯであることを除き、本実施形態の液晶パネル１と同じである。また、図３には、実施例の液晶パネル１から前面偏光板１０および背面偏光板５０を除いたパネルの測定値を参考例１として示し、比較例の液晶パネルから前面偏光板および背面偏光板を除いたパネルの測定値を参考例２として示している。
【００４１】
実施例の分光透過率の比Ｔｒ／Ｔｂｇは０．７１３であり、パラメータＳは０．２８７であった。これに対して比較例の分光透過率の比Ｔｒ／Ｔｂｇは０．６９９であり、パラメータＳは０．３０１であった。実施例の液晶パネル１のパラメータＳ（０．２８７）は、比較例の液晶パネルのパラメータＳ（０．３０１）より十分小さく、上記設計指針により適った表示パネルと言える。すなわち、上記設計指針に基づくと、ＧＺＯは、ＩＴＯに比べて、より液晶パネルの透明電極に適した材料と言える。なお、前後の偏光板がない場合でも、対向電極にＧＺＯを使用した参考例１のパラメータＳ（０．１６３）は、対向電極にＩＴＯを使用した参考例２のパラメータＳ（０．２１９）より十分小さい。
【００４２】
また、対向電極をＩＴＯで構成する代わりに、画素電極をＧＺＯで構成しても、上記と同様の結果を得ることができる。上記では対向電極の材料としてＧＺＯを使用したが、パラメータＳを０．２８７以下にすることができれば、他の材料を使用してもよい。例えば、周期律表（新ＩＵＰＡＣ方式の長周期表）における、第３族元素（Ｓｃ、Ｙ、Ｌｕ等）、第１３族元素（Ｂ、Ａｌ、Ｇａ、Ｉｎ、Ｔｌ）、第４族元素（Ｔｉ、Ｚｒ、Ｈｆ）、第１４族元素（Ｃ、Ｓｉ、Ｇｅ、Ｓｎ、Ｐｂ）、および第１７族元素（Ｆ、Ｃｌ、Ｂｒ、Ｉ）のうち１種類の元素または複数の種類の元素を、酸化亜鉛に対して添加したものを透明電極として使用しても、ＧＺＯを透明電極として使用した場合と同様に、液晶パネルのパラメータＳを０．２８７以下にできることが期待される。
【００４３】
なお、対向電極だけでなく、画素電極をもＧＺＯで構成することにより、パラメータＳをより小さくすることができる、すなわち、分光透過率をより均一にすることができる。
【００４４】
また、ＧＺＯの透明電極の厚さを薄くすることにより、パラメータＳをより小さくすることができる。よって、ＧＺＯの対向電極の厚さを１６０ｎｍ以下にすることが好ましい。
【００４５】
パラメータＳは、理想的な白色光が透過した場合の分光輝度の均一度合いを表す。すなわち、パラメータＳが小さいことは、白表示の色合いが理想的な白に近いことを示す。よって、液晶パネルのパラメータＳが所定の大きさより小さければ、画像を適切な色合いで表示することができる。
【００４６】
なお、各色の画素の液晶印加電圧を調整することで、白表示時の分光透過率を均一にすることもできる。しかしながら、液晶印加電圧を調整するということは、液晶パネルにおいて、元々透過率が低い色（例えば赤）の透過率に合わせて、その他の色（例えば緑および青）の液晶の配向状態を黒表示側にシフトさせ、その他の色の透過率を下げることになる。すなわち、これは、バックライトからの光の利用効率を下げることになり、省エネルギーの観点からは好ましくない。また、表示装置の製造過程において各色毎に印加電圧を調整する工程が必須となり、製造工程が複雑になる。
【００４７】
以上から、上記設計指針に沿ってパラメータＳが０．２８７以下となるように液晶パネルを構成することにより、画像を適切な色合いで表示可能な液晶パネルを実現することができる。また、液晶表示装置において、バックライト等の光源からの光の利用効率を高めることができる。なお、パラメータＳの絶対値が、｜Ｓ｜≦０．２８７となるように液晶パネルを構成してもよい。また、Ｓ＝０が理想であるので、０≦Ｓ≦０．２８７となるように液晶パネルを構成してもよい。
【００４８】
［実施形態２］
本発明の他の実施形態について、以下に説明する。なお、説明の便宜上、実施形態１にて説明した図面と同じ機能を有する部材・構成については、同じ符号を付記し、その詳細な説明を省略する。本実施形態では、反射型の液晶表示装置について説明する。
【００４９】
図４は、本実施形態の液晶表示装置６の概略構成を示す図である。液晶表示装置（表示装置）６は、液晶パネル（表示パネル）４を備える。液晶表示装置６は、外部の光源５からの光を液晶パネル４が選択的に反射することで、利用者に対して画像を表示する反射型の表示パネルである。外部の光源の光（外光）とは、自然光であったり、外部の照明の光であったりする。なお、液晶表示装置は、液晶パネルの前面側に光源を備える構成であってもよい。
【００５０】
＜液晶パネルの構成＞
図５は、本実施形態の液晶パネル４の概略構成を示す断面図である。液晶パネル４は、利用者側である前面から順に、前面偏光板１０、カラーフィルタ基板２０、液晶層３０、アレイ基板４０、および反射板６０が積層されたアクティブマトリクス方式の表示パネルである。前面偏光板１０、カラーフィルタ基板２０、液晶層３０、およびアレイ基板４０の構成は、実施形態１と同じである。
【００５１】
対向電極層２０ｂは、ＧＺＯ（Ｇａドープ酸化亜鉛）で構成される透明電極の層である。対向電極層２０ｂの透明電極の厚さは１６０ｎｍである。
【００５２】
画素電極層４０ｂは、ＩＴＯ（酸化インジウムスズ）で構成される透明電極の層である。画素電極層４０ｂの透明電極の厚さは１６０ｎｍである。なお、画素電極層４０ｂの透明電極は、画素毎に分かれているが、図５では省略している。
【００５３】
反射板６０は、液晶パネル４の前面側から入射した光を反射（乱反射）する部材である。反射板６０によって反射された光によって、液晶表示装置６は、画像を表示することができる。
【００５４】
＜測定方法＞
反射型の液晶表示装置６の場合、外部の光源５から液晶パネル４に入射した光は、前面偏光板１０、カラーフィルタ基板２０、液晶層３０、およびアレイ基板４０を順に通過した後、反射板６０で反射される。反射された光は、アレイ基板４０、液晶層３０、カラーフィルタ基板２０、および前面偏光板１０を再度通過して利用者側に出射される。液晶パネル４に入射した光は、前面偏光板１０、カラーフィルタ基板２０、液晶層３０、およびアレイ基板４０を２回ずつ通過して液晶パネル４から出射される。
【００５５】
そのため、反射型の液晶パネル４の場合、液晶パネル４に入射する光の分光輝度に対して、反射板６０で反射されて液晶パネルから出射する光の分光輝度を測定しなければならない。液晶パネル４に入射される光の分光輝度と、液晶パネル４から出射される光の分光輝度とから、分光反射率を算出することができる。そして、外部の光源の光が白色光である場合、分光反射率が各波長領域で均一であることが好ましい。なお、表示パネル４が白表示状態になるように各画素が駆動された状態で、上記の測定は行われる。
【００５６】
反射型の液晶パネル４においては、上記のように算出した分光反射率Ｔｂｇと、分光反射率Ｔｒとを用いてパラメータＳを計算する。Ｔｂｇは、波長４９０〜５００ｎｍ（青緑色）の範囲の分光反射率の最大値であり、Ｔｒは、波長５９０〜７５０ｎｍ（橙色〜赤色）の範囲の分光反射率の平均値である。Ｓは、（Ｔｂｇ−Ｔｒ）／Ｔｂｇである。
【００５７】
反射型の液晶パネル４においても、上記設計指針に沿ってパラメータＳが０．２８７以下となるように液晶パネルを構成することにより、画像を適切な色合いで表示可能な液晶パネルを実現することができる。また、液晶表示装置において、外光の利用効率を高めることができる。
【００５８】
［他の実施形態］
本発明は、液晶表示装置に限らず、液晶方式（コレステリック液晶を使用する方式）等の電子ペーパー（表示パネル）に適用することも可能である。反射型の電子ペーパーの場合、反射型の液晶表示装置と同じように、入射光（外光）に対する出射光の分光反射率を用いてパラメータＳを算出する。
【００５９】
また、本発明は、有機ＥＬパネル、またはプラズマディスプレイパネル等に適用することも可能である。有機ＥＬパネルでは、例えば発光層より前面側にある部材（透明電極およびガラス基板）を透過する光の分光透過率から算出されるパラメータＳが０．２８７以下となるようにパネルを構成すればよい。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６１】
本発明は、表示装置の表示パネルに利用することができる。
【符号の説明】
【００６２】
１、４    液晶パネル（表示パネル）
２    バックライト（光源）
３、６    液晶表示装置（表示装置）
５    光源
１０    前面偏光板
２０    カラーフィルタ基板
２０ａ    配向膜
２０ｂ    対向電極層（透明電極層）
２０ｃ    ガラス基板
２０ｄ    カラーフィルタ
３０    液晶層
４０    アレイ基板
４０ａ    配向膜
４０ｂ    画素電極層（透明電極層）
４０ｃ    ガラス基板
５０    背面偏光板
６０    反射板
【図１】
2013186429.tif 000003
【図２】
2013186429.tif 000004
【図３】
2013186429.tif 000005
【図４】
2013186429.tif 000006
【図５】
2013186429.tif 000007